【手続補正書】
【提出日】令和2年11月18日(2020.11.18)
【手続補正１】
【補正対象書類名】明細書
【補正対象項目名】００５３
【補正方法】変更
【補正の内容】
【００５３】
本発明はさらに、本発明に従って得ることができる発泡成形体を含んでなる冷蔵庫、冷凍庫、または冷蔵庫と冷凍庫との組み合わせを提供し、提供される型は、特に冷蔵庫、冷凍庫、または冷蔵庫と冷凍庫の組み合わせのハウジング部分である。以下の例を用いて本発明を説明する。
以上に説明してきたように、本発明は、以下の発明を包含する。
［１］  イソシアネート基に対して反応性である水素原子を含有し、ポリオール成分Ａ１）、水Ａ２）および任意選択で安定剤Ａ３）、触媒Ａ４）、および他の助剤および添加物Ａ５）を含んでなる成分Ａ）、
および少なくとも１つの物理的発泡剤Ｔ）、
およびポリイソシアネート成分Ｂ）、
を含んでなるフォーム形成反応混合物の反応によって得られる硬質ポリウレタンフォームであって、
前記ポリオール成分Ａ１）が、（前記成分Ａ１の総重量に対して）以下の成分（ｉ）〜（ｉｉｉ）：
（ｉ）  ６０〜７５重量％の、３００ｍｇ  ＫＯＨ／ｇ〜６００ｍｇ  ＫＯＨ／ｇの水酸基価および３．０〜６．０の官能性を有し、エポキシドを炭水化物および二官能性またはより高次の官能性アルコールからなる群より選択される１種以上のスターター化合物に付加することによって得られるポリエーテルポリオールＡ１ａ）；
（ｉｉ）  ２０〜３５重量％の、１００ｍｇ  ＫＯＨ／ｇ〜５５０ｍｇ  ＫＯＨ／ｇの水酸基価および１．５〜５．０の官能性を有し、エポキシドまたはエポキシド混合物を芳香族アミンに付加することによって得られるポリエーテルポリオールＡ１ｂ）；
（ｉｉｉ）  ３〜１０重量％の、１５ｍｇ  ＫＯＨ／ｇ〜＜３００ｍｇ  ＫＯＨ／ｇの水酸基価および１．５〜４．０の官能性を有し、エポキシドまたはエポキシド混合物を炭水化物および二官能性またはより高次の官能性アルコールからなる群より選択される１種以上のスターター化合物に付加することによって得られるポリエーテルポリオールＡ１ｃ）、
を含んでなること、
ならびに、前記ポリイソシアネート成分Ｂ）が、（Ｂの総重量に対して）少なくとも８５重量％の、≧２９．０重量％〜≦３２．０重量％のＮＣＯ含有量および≧３００ｍＰａｓ〜≦７５０ｍＰａ・ｓの２５℃における粘度（ＥＮ  ＩＳＯ３２１９、１９９４年１０月）を有するポリマーＭＤＩを含有し、かつその総重量に対して、≧２５重量％〜≦４０重量％のモノマーＭＤＩを含んでなること
を特徴とする、硬質ポリウレタンフォーム。
［２］  前記ポリエーテルポリオールＡ１ａ）が、エポキシドまたはエチレンオキシドとプロピレンオキシドのエポキシド混合物、好ましくはプロピレンオキシドを、スクロースとプロピレングリコールの混合物、スクロースとエチレングリコールの混合物、スクロースとプロピレングリコールとエチレングリコールの混合物、スクロースとグリセロールの混合物、ソルビトールとプロピレングリコールの混合物、ソルビトールとエチレングリコールの混合物、ソルビトールとプロピレングリコールとエチレングリコールの混合物、ソルビトールとグリセロールの混合物からなる群より選択される１種以上のスターター化合物に付加することによって得られる、［１］に記載の硬質ポリウレタンフォーム。
［３］  前記ポリエーテルポリオールＡ１ｂ）が、オルト−、メタ−、もしくはパラ−トルエンジアミンまたは異性体トルエンジアミンの混合物で始まるポリエーテルポリオールである、［１］または［２］に記載の硬質ポリウレタンフォーム。
［４］  前記ポリエーテルポリオールＡ１ｃ）が、グリセロール、グリセロールとプロピレングリコールの混合物、トリメチロールプロパン、トリメチロールプロパンとプロピレングリコールの混合物、またはプロピレングリコールで始まるポリエーテルポリオールである、［１］〜［３］のいずれか一項に記載の硬質ポリウレタンフォーム。
［５］  前記成分Ａ）が≧１．５重量％の水Ａ２）を含有する、［１］〜［４］のいずれか一項に記載の硬質ポリウレタンフォーム。
［６］  前記成分Ａ）が、≧１．５重量％の水Ａ２）、および０．５〜５重量％の、ポリエーテル−ポリジメチルシロキサン共重合体からなる群より選択される安定剤Ａ３）を含有する、［１］〜［４］のいずれか一項に記載の硬質ポリウレタンフォーム。
［７］  ポリマーＭＤＩが、３５０〜５００ｍＰａ・ｓ（ＥＮ  ＩＳＯ３２１９、１９９４年１０月）の２５℃における粘度（ＥＮ  ＩＳＯ３２１９、１９９４年１０月）を有することを特徴とする、［１］〜［６］のいずれか一項に記載の硬質ポリウレタンフォーム。
［８］  トリエチレンジアミン、Ｎ，Ｎ−ジメチルシクロヘキシルアミン、ジシクロヘキシルメチルアミン、テトラ−メチレンジアミン、１−メチル−４−ジメチルアミノエチルピペラジン、トリエチルアミン、トリ−ブチルアミン、ジメチルベンジルアミン、Ｎ，Ｎ’，Ｎ”−トリス（ジメチルアミノプロピル）ヘキサヒドロ−トリアジン、トリス（ジメチルアミノプロピル）アミン、トリス（ジメチルアミノメチル）フェノール、ジメチルアミノプロピルホルムアミド、Ｎ，Ｎ，Ｎ’，Ｎ’−テトラメチルエチレンジアミン、Ｎ，Ｎ，Ｎ’，Ｎ’−テトラメチルブタンジアミン、テトラメチルヘキサンジアミン、ペンタメチルジエチレン−トリアミン、ペンタメチルジプロピレントリアミン、ビス（ジメチルアミノエチル）エーテル、ジメチルピペラジン、１，２−ジメチルイミダゾール、１−アザビシクロ［３．３．０］オクタン、ビス（ジ−メチルアミノプロピル）尿素、Ｎ−メチルモルホリン、Ｎ−エチルモルホリン、Ｎ−［（２−ヒドロキシ−５−ノニルフェニル）メチル］−Ｎ−メチルアミノ酢酸ナトリウム、Ｎ−シクロヘキシルモルホリン、２，３−ジメチル−３，４，５，６−テトラヒドロピリミジン、トリエタノールアミン、ジエタノールアミン、トリイソ−プロパノールアミン、Ｎ−メチルジエタノールアミン、Ｎ−エチルジエタノールアミン、およびジメチル−エタノールアミンからなる群より選択される触媒Ａ４をさらに含有する、［１］〜［７］のいずれか一項に記載の硬質ポリウレタンフォーム。
［９］  ［１］〜［８］のいずれか一項に記載の硬質ＰＵＲフォームで構成される成型体を製造する方法であって、
ａ）  型を準備する工程、ならびに
ｂ）  成分Ａ）、ポリイソシアネート成分Ｂ）、および発泡剤Ｔ）で構成されるフォーム形成反応混合物を前記型に入れる工程、ならびに
ｃ）  前記反応混合物を発泡させる工程
を含んでなる、方法。
［１０］  前記フォーム形成反応混合物が、可変射出圧力下および／または経時的に変化する量で前記型に入れられる、［９］に記載の方法。
［１１］  工程ｂ）および／または工程ｃ）が減圧下で行われる、［１０］に記載の方法。
［１２］  前記イソシアネート成分Ｂ）と前記ポリオールの反応が１００〜１５０の指数で行われる、［１１］に記載の方法。
［１３］  ［１］〜［８］のいずれか一項に記載の硬質ポリウレタンフォームを含有する、複合材料系。
［１４］  特に冷凍装置システムに使用するための、断熱材としての［１３］に記載の複合材料系の使用。
【手続補正２】
【補正対象書類名】特許請求の範囲
【補正対象項目名】全文
【補正方法】変更
【補正の内容】
【特許請求の範囲】
【請求項１】
イソシアネート基に対して反応性である水素原子を含有し、ポリオール成分Ａ１）、水Ａ２）および任意選択で安定剤Ａ３）、触媒Ａ４）、および他の助剤および添加物Ａ５）を含んでなる成分Ａ）、
および少なくとも１つの物理的発泡剤Ｔ）、
およびポリイソシアネート成分Ｂ）、
を含んでなるフォーム形成反応混合物の反応によって得られる硬質ポリウレタンフォームであって、
前記ポリオール成分Ａ１）が、（前記成分Ａ１の総重量に対して）以下の成分（ｉ）〜（ｉｉｉ）：
（ｉ）  ６０〜７５重量％の、３００ｍｇ  ＫＯＨ／ｇ〜６００ｍｇ  ＫＯＨ／ｇの水酸基価および３．０〜６．０の官能性を有し、エポキシドを炭水化物および二官能性またはより高次の官能性アルコールからなる群より選択される１種以上のスターター化合物に付加することによって得られるポリエーテルポリオールＡ１ａ）；
（ｉｉ）  ２０〜３５重量％の、１００ｍｇ  ＫＯＨ／ｇ〜５５０ｍｇ  ＫＯＨ／ｇの水酸基価および１．５〜５．０の官能性を有し、エポキシドまたはエポキシド混合物を芳香族アミンに付加することによって得られるポリエーテルポリオールＡ１ｂ）；
（ｉｉｉ）  ３〜１０重量％の、１５ｍｇ  ＫＯＨ／ｇ〜＜３００ｍｇ  ＫＯＨ／ｇの水酸基価および１．５〜４．０の官能性を有し、エポキシドまたはエポキシド混合物を炭水化物および二官能性またはより高次の官能性アルコールからなる群より選択される１種以上のスターター化合物に付加することによって得られるポリエーテルポリオールＡ１ｃ）、
を含んでなること、
ならびに、前記ポリイソシアネート成分Ｂ）が、（Ｂの総重量に対して）少なくとも８５重量％の、≧２９．０重量％〜≦３２．０重量％のＮＣＯ含有量および≧３００ｍＰａｓ〜≦７５０ｍＰａ・ｓの２５℃における粘度（ＥＮ  ＩＳＯ３２１９、１９９４年１０月）を有するポリマーＭＤＩを含有し、かつその総重量に対して、≧２５重量％〜≦４０重量％のモノマーＭＤＩを含んでなること
を特徴とする、硬質ポリウレタンフォーム。
【請求項２】
請求項１に記載の硬質ＰＵＲフォームで構成される成型体を製造する方法であって、
ａ）  型を準備する工程、ならびに
ｂ）  成分Ａ）、ポリイソシアネート成分Ｂ）、および発泡剤Ｔ）で構成されるフォーム形成反応混合物を前記型に入れる工程、ならびに
ｃ）  前記反応混合物を発泡させる工程
を含んでなる、方法。
【請求項３】
請求項１に記載の硬質ポリウレタンフォームを含有する、複合材料系。
【請求項４】
特に冷凍装置システムに使用するための、断熱材としての請求項３に記載の複合材料系の使用。